(57)【要約】【課題】本発明は、室内の空気を用いて燃料を燃焼させ、燃焼排ガスを空気で希釈した後に室内に放出する温風暖房機及びその制御方法に関し、暖房中の室内において、常に新鮮な空気を確保できる温風暖房機及びその制御方法を提供する。【解決手段】燃料を燃焼させるガスバーナ１０に供給される空気の酸素濃度が低くなると温度が低くなる火炎１２に対し、ガスバーナ１０から所定位置での火炎１２の温度に応じた電圧を出力する検出素子１４を有している。火炎温度検出素子１４からの出力電圧が第１の閾値を下回ったら室内の換気を促す第１の警告を発する指令を出力し、第１の警告後、出力電圧が第１の閾値を上回ったら第１の警告を停止する指令を出力する制御部２４と、当該指令に基づいて第１の警告を発し、次いで第１の警告を停止する出力部２２とを有している。【選択図】    図１
2005016860.tif 000002
【特許請求の範囲】
【請求項１】
室内の空気を用いて燃料を燃焼させ、燃焼排ガスを空気で希釈した後に前記室内に放出する温風暖房機の制御方法であって、
バーナに供給される空気の酸素濃度が低くなると温度が低くなる火炎に対し、前記バーナから所定位置での前記火炎の温度に応じた電圧を出力し、
前記電圧が第１の閾値を下回ったら前記室内の換気を促す第１の警告を発すること
を特徴とする温風暖房機の制御方法。
【請求項２】
請求項１記載の温風暖房機の制御方法において、
前記第１の警告後、前記電圧が前記第１の閾値を上回ったら前記第１の警告を停止すること
を特徴とする温風暖房機の制御方法。
【請求項３】
請求項１又は２に記載の温風暖房機の制御方法において、
前記第１の警告後、前記電圧が第２の閾値を下回ったら前記室内の換気を促す第２の警告を発すること
を特徴とする温風暖房機の制御方法。
【請求項４】
請求項３記載の温風暖房機の制御方法において、
前記第２の警告後、前記電圧が前記第２の閾値を上回ったら前記第２の警告を停止すること
を特徴とする温風暖房機の制御方法。
【請求項５】
請求項４記載の温風暖房機の制御方法において、
前記第２の警告後、前記電圧が第３の閾値を下回ったら燃焼を停止させることを特徴とする温風暖房機の制御方法。
【請求項６】
請求項５記載の温風暖房機の制御方法において、
前記第１及び／又は第２の警告を光及び／又は音により行なうこと
を特徴とする温風暖房機の制御方法。
【請求項７】
室内の空気を用いて燃料を燃焼させ、燃焼排ガスを空気で希釈した後に前記室内に放出する温風暖房機であって、
前記燃料を燃焼させるバーナと、
前記バーナに供給される空気の酸素濃度が低くなると温度が低くなる火炎に対し、前記バーナから所定位置での前記火炎の温度に応じた電圧を出力する検出素子と、
前記電圧が第１の閾値を下回ったら前記室内の換気を促す第１の警告を発する指令を出力する制御部と、
当該指令に基づいて前記第１の警告を発する出力部と
を有することを特徴とする温風暖房機。
【請求項８】
請求項７記載の温風暖房機において、
前記制御部は、前記第１の警告後、前記電圧が前記第１の閾値を上回ったら前記第１の警告を停止する指令を出力し、
前記出力部は、当該指令に基づいて前記第１の警告を停止すること
を特徴とする温風暖房機。
【請求項９】
請求項７又は８に記載の温風暖房機において、
前記制御部は、前記第１の警告後、前記電圧が第２の閾値を下回ったら前記室内の換気を促す第２の警告を発する指令を出力し、
前記出力部は、当該指令に基づいて前記第２の警告を発すること
を特徴とする温風暖房機。
【請求項１０】
請求項９記載の温風暖房機において、
前記制御部は、前記第２の警告後、前記電圧が前記第２の閾値を上回ったら前記第２の警告を停止する指令を出力し、
前記出力部は、当該指令に基づいて前記第２の警告を停止すること
を特徴とする温風暖房機。
【請求項１１】
請求項１０記載の温風暖房機において、
前記制御部は、前記第２の警告後、前記電圧が第３の閾値を下回ったら燃焼を停止させること
を特徴とする温風暖房機。
【請求項１２】
請求項１１記載の温風暖房機において、
前記出力部は、前記第１及び／又は第２の警告を光及び／又は音により行なうこと
を特徴とする温風暖房機。
【発明の詳細な説明】
【０００１】
【発明の属する技術分野】
本発明は、室内の空気を用いて燃料を燃焼させ、燃焼排ガスを空気で希釈した後に室内に放出する温風暖房機及びその制御方法に関する。
【０００２】
【従来の技術】
室内の空気を用いて燃料を燃焼させ、燃焼排ガスを空気で希釈した後に室内に放出する温風暖房機として、ガスファンヒータや石油ファンヒータが知られている。このタイプの温風暖房機では、燃焼排ガスが室内に排出されるので、温風運転を継続すると室内の酸素濃度が徐々に低下する。そこで、温風暖房機を長時間使用する際は室内を換気する必要がある。
【０００３】
一般に石油ファンヒータには、所定時間連続して運転すると使用者に室内の換気を促す警告を発する表示部が搭載されている。さらに石油ファンヒータは、所定時間を超えてさらに運転が継続すると、換気の有無に係わらず運転を停止させる自動停止機能を有している。
【０００４】
一方、ガスファンヒータは、石油ファンヒータに比較して二酸化炭素（ＣＯ２）や窒素酸化物（ＮＯＸ）あるいは臭気の発生が少ないため、使用者の利便性等も考慮して警告表示機能や自動停止機能は設けていない。それらに代えてガスファンヒータでは、室内の酸素濃度が低下してガスが不完全燃焼する前に自動的に運転を停止させる不完全燃焼防止装置が備えられている。
【０００５】
また、室内を換気する方法として、酸素センサで室内の酸素濃度の低下を検出して使用者に室内の換気を促す方法（特許文献１）や、検出された火炎の温度に基づいて連動換気扇装置を作動して室内の空気を自動的に換気する方法（特許文献２）や、室温温度勾配による換気頻度を推測する方法（特許文献３）が知られている。
【０００６】
【特許文献１】
実開平５−３４４４２号公報
【特許文献２】
特開平１０−２０５７５０号公報
【特許文献３】
特開２００２−８１７５１号公報
【０００７】
【発明が解決しようとする課題】
石油ファンヒータにおいては、部屋の大きさや形状及び換気回数等は考慮されず、運転継続時間のみに基づいて室内換気の警告が行われる。室内換気の警告後もさらに運転を継続させると、室内の酸素濃度とは無関係に所定時間経過後に運転が停止してしまう。引き続き暖房する場合は、運転再開処理が必要になるので、石油ファンヒータの利便性は著しく低下してしまう。
【０００８】
ガスファンヒータの不完全燃焼防止装置は、ガスバーナ上部に配置された熱電対等の火炎温度検出素子を有している。火炎温度検出素子でガスバーナの火炎温度を検出し、火炎温度の変化から室内の酸素濃度の低下を検知して、ガスファンヒータを自動的に停止するようになっている。しかしながら、不完全燃焼防止装置は、主に最終安全装置の役割を担うものであって、室内の換気を警告する機能は備えていない。さらに、不完全燃焼防止装置が機能すると、突然にガスファンヒータの運転が停止してしまう。石油ファンヒータと同様に、継続して使用する場合には運転再開処理が必要になるので、ガスファンヒータの利便性は低下してしまう。
【０００９】
また、特許文献１及び特許文献３に記載されている室内換気方法では、酸素センサを設ける必要があるので、温風暖房機の高コスト化に繋がってしまう。さらに特許文献３の方法では、形状や大きさの異なるあらゆる部屋で高精度に酸素濃度を検出することは困難であり、室内換気が不要であるにもかかわらず室内換気を促す警告を発してしまう可能性がある。
【００１０】
また、特許文献２の方法では、室内の酸素濃度に応じて連動換気扇装置を動作させ、自動的に室内の換気を行うことができる。しかし、連動換気扇装置を部屋の壁面内側等に設置する必要があるので、温風暖房機は所定の部屋に固定して使用されることになる。従って、可搬型の温風暖房機には適用し難い。また、連動換気扇装置とこれを設置するための費用によって、温風暖房機は高コストになってしまう。
【００１１】
本発明の目的は、暖房中の室内において、常に新鮮な空気を確保することのできる温風暖房機及びその制御方法を提供することにある。
【００１２】
【課題を解決するための手段】
上記目的は、室内の空気を用いて燃料を燃焼させ、燃焼排ガスを空気で希釈した後に前記室内に放出する温風暖房機の制御方法であって、バーナに供給される空気の酸素濃度が低くなると温度が低くなる火炎に対し、前記バーナから所定位置での前記火炎の温度に応じた電圧を出力し、前記電圧が第１の閾値を下回ったら前記室内の換気を促す第１の警告を発することを特徴とする温風暖房機の制御方法によって達成される。
【００１３】
上記本発明の温風暖房機の制御方法において、前記第１の警告後、前記電圧が前記第１の閾値を上回ったら前記第１の警告を停止することを特徴とする。
【００１４】
上記本発明の温風暖房機の制御方法において、前記第１の警告後、前記電圧が第２の閾値を下回ったら前記室内の換気を促す第２の警告を発することを特徴とする。
【００１５】
上記本発明の温風暖房機の制御方法において、前記第２の警告後、前記電圧が前記第２の閾値を上回ったら前記第２の警告を停止することを特徴とする。
【００１６】
上記本発明の温風暖房機の制御方法において、前記第２の警告後、前記電圧が第３の閾値を下回ったら燃焼を停止させることを特徴とする。また、前記第１及び／又は第２の警告を光及び／又は音により行なうことを特徴とする。
【００１７】
また、上記目的は、室内の空気を用いて燃料を燃焼させ、燃焼排ガスを空気で希釈した後に前記室内に放出する温風暖房機であって、前記燃料を燃焼させるバーナと、前記バーナに供給される空気の酸素濃度が低くなると温度が低くなる火炎に対し、前記バーナから所定位置での前記火炎の温度に応じた電圧を出力する検出素子と、前記電圧が第１の閾値を下回ったら前記室内の換気を促す第１の警告を発する指令を出力する制御部と、当該指令に基づいて前記第１の警告を発する出力部とを有することを特徴とする温風暖房機によって達成される。
【００１８】
上記本発明の温風暖房機において、前記制御部は、前記第１の警告後、前記電圧が前記第１の閾値を上回ったら前記第１の警告を停止する指令を出力し、前記出力部は、当該指令に基づいて前記第１の警告を停止することを特徴とする。
【００１９】
上記本発明の温風暖房機において、前記制御部は、前記第１の警告後、前記電圧が第２の閾値を下回ったら前記室内の換気を促す第２の警告を発する指令を出力し、前記出力部は、当該指令に基づいて前記第２の警告を発することを特徴とする。
【００２０】
上記本発明の温風暖房機において、前記制御部は、前記第２の警告後、前記電圧が前記第２の閾値を上回ったら前記第２の警告を停止する指令を出力し、前記出力部は、当該指令に基づいて前記第２の警告を停止することを特徴とする。
【００２１】
上記本発明の温風暖房機において、前記制御部は、前記第２の警告後、前記電圧が第３の閾値を下回ったら燃焼を停止させることを特徴とする。
【００２２】
上記本発明の温風暖房機において、前記出力部は、前記第１及び／又は第２の警告を光及び／又は音により行なうことを特徴とする。
【００２３】
【発明の実施の形態】
本発明の一実施の形態による温風暖房機及びその制御方法について図１ないし図４を用いて説明する。以下、温風暖房機としてガスファンヒータを例にとって説明する。まず、図１を用いて、本実施の形態によるガスファンヒータ１の概略の構成を燃焼系と制御系とに分けて説明する。図１は、本実施の形態によるガスファンヒータ１の側断面の概略構成及びシステムブロックを示している。
【００２４】
図１に示すように、ガスファンヒータ１の燃焼系は、本体ケーシング２内に配置された燃焼室４と、燃焼室４の鉛直下方に配置された対流ファン６とを有している。対流ファン６が回転すると、ケーシング２背面に開口した空気流入口８ａ及び希釈用空気流入口８ｂ、８ｃから、各空気流入口８ａ、８ｂ、８ｃに設置された吸気フィルタ１６を通って室内空気が流入する。
【００２５】
このうち、ケーシング２背面の中段に位置する空気流入口８ａから流入する室内空気は、ガスバーナ１０でのガスの燃焼に供されると共に、燃焼室４のガスバーナ１０の火炎１２を保炎するための１．５次空気及びガスを完全燃焼させるための２次空気として用いられる。ケーシング２背面の上段に位置する希釈用空気流入口８ｂから流入する室内空気は、ガスバーナ１０でのガスの燃焼に供されると共に、一部は燃焼排ガスを希釈する希釈用空気として用いられる。ケーシング２背面の下段に位置する希釈用空気流入口８ｃから流入する室内空気は、燃焼室４で生成された燃焼排ガスを希釈して所定温度まで下げる希釈用空気として用いられる。
希釈用空気で希釈された燃焼排ガスは、対流ファン６の回転によりケーシング２正面に開口した温風吹出し口８ｄから温風として室内に放出される。
【００２６】
次に、ガスファンヒータ１の制御系の構成について説明する。図２は本実施の形態によるガスファンヒータ１の制御系で用いられる操作パネル２０の一例を示している。操作パネル２０は、ガスファンヒータ１の運転の入／切の切り替えを行う運転スイッチ３８と室内の換気を促す第１の警告を発する警告表示部４０とを有している。
【００２７】
図１に戻り、ガスファンヒータ１の制御系は、操作パネル２０内の運転スイッチ３８が押されると運転開始信号が入力される制御部２４を有している。制御部２４は、運転開始信号に基づき、対流ファン６を回転させるモータ（図示せず）へ電力を供給するようになっている。それと共に制御部２４は、ガス管３０に設けられている制御弁２８を開けてガスバーナ１０へガスを供給し、点火プラグ（図示せず）を制御して点火するようになっている。
【００２８】
制御部２４には、ガスバーナ１０の上部に設置された、熱電対を備えた検出素子１４が接続されている。検出素子１４は、従来のガスファンヒータの不完全燃焼防止装置でガスバーナ１０の火炎温度に応じた電圧を出力するために用いられている検出素子をそのまま利用できる。検出素子１４は火炎１２の温度に応じた電圧を出力する。検出素子１４は出力電圧Ｖｏとして制御部２４に出力するようになっている。検出素子１４は、例えば火炎温度が上昇すると出力電圧Ｖｏが高くなり、火炎温度が低下すると出力電圧Ｖｏが低くなる温度−出力電圧特性を有している。
【００２９】
次に、検出素子１４から出力される出力電圧Ｖｏを基に、室内の酸素濃度の変化を検出する動作原理について説明する。室内酸素濃度が低下した場合、燃焼に必要な酸素が不足するため、火炎温度は低くなる。火炎温度が低くなると、検出素子１４から出力される電圧は、これに応じて低くなるため、室内酸素濃度低下を検出することができる。
【００３０】
また、窒素酸化物（ＮＯＸ）の生成を低減するために、ガスバーナ１０の近傍ではガスの供給量に対して酸素量を意図的に不足させている。このため、ガスバーナ１０の近傍でガスは不完全燃焼状態になる。当該不完全燃焼状態では、僅かな酸素濃度の変化でも火炎１２の温度は大きく変化する。従って、室内空気中の酸素濃度の変化の幅が僅か２％（例えば１７．０％〜１９．０％）程度であっても、検出素子１４を横切る火炎１２の温度は大きく変化するので、検出素子１４の出力電圧Ｖｏは９ｍＶ（例えば８ｍＶ〜１７ｍＶ）程度の計測上十分なレンジにすることができる。これにより、検出素子１４で酸素濃度を精度よく検出することができる。
【００３１】
制御部２４に接続された記憶部（不図示）には、検出素子１４の出力電圧Ｖｏと比較するための複数の閾値電圧が記憶されている。閾値電圧は、空気中の酸素濃度の低下に対して警告を発したり、警告の種類を変えたり、あるいは警告を停止したりする基準値として用いられる。
【００３２】
図３は、酸素濃度（％）に対する閾値電圧Ｖｔｈの設定例を示している。初期閾値電圧ＶｔｈＳは１７ｍＶ（酸素濃度：１９．０％）に設定されている。第１の閾値電圧Ｖｔｈ１は１５ｍＶ（酸素濃度：１８．５％）に設定され、第２の閾値電圧Ｖｔｈ２は１２ｍＶ（酸素濃度：１７．９％）に設定されている。また、第１の閾値電圧Ｖｔｈ１と第２の閾値電圧Ｖｔｈ２との間の中間の閾値電圧ＶｔｈＭは１３ｍＶ（酸素濃度：１８．１％）に設定されている。さらに、第３の閾値電圧Ｖｔｈ３は８ｍＶ（酸素濃度：１７．０％）に設定されている。
【００３３】
制御部２４は、記憶部から初期閾値電圧ＶｔｈＳ、第１乃至第３の閾値電圧Ｖｔｈ１〜Ｖｔｈ３、及び中間の閾値電圧ＶｔｈＭの５つの閾値電圧値を読み込んで、検出素子１４から逐次入力される出力電圧Ｖｏを各閾値電圧のいずれかと比較して、室内の酸素濃度に応じた室内換気の警告を出力部２２から発したり停止したりするようになっている。出力部２２は警告表示部４０とスピーカ部（不図示）を有しており、光による第１の警告を警告表示部４０から発したり、音による第２の警告をスピーカ部から発したりするようになっている。
【００３４】
次に、本実施の形態によるガスファンヒータ１の運転手順について説明する。まず、ガスファンヒータ１に電力が供給され運転が開始されると、制御部２４には運転開始信号が入力される。運転開始信号が入力された制御部２４は対流ファン６を回転させるモータへ電力を供給する。それと共に制御部２４はガス管３０に設けられている制御弁２８を開いてガスバーナ１０へガスを供給し、点火プラグを制御して点火する。こうして、ガスファンヒータ１による室内暖房が開始される。
【００３５】
ガスバーナ１０が点火すると、火炎１２により検出素子１４は過熱されて出力電圧Ｖｏは高くなる。例えば、出力電圧Ｖｏが初期閾値電圧ＶｔｈＳ（＝１７ｍＶ）を下回ると、制御部２４は、図４に示すように、室内換気を促す警告プログラムの実行を開始する。
【００３６】
図４は本実施の形態によるガスファンヒータ１の警告方法の手順を示すフローチャートである。ガスファンヒータ１が連続運転している状態で換気が行われないと、室内に滞留する燃焼排ガスの量が増加してガスバーナ１０に供給される空気の酸素濃度は徐々に低下する。
【００３７】
制御部２４は、検出素子１４から逐次入力される出力電圧Ｖｏを第１の閾値電圧Ｖｔｈ１（＝１５ｍＶ）と比較する（ステップＳ１）。出力電圧Ｖｏが第１の閾値電圧Ｖｔｈ１より高ければ、制御部２４は、室内に十分な酸素濃度（１８．５％以上；図４参照）が確保されていると判断し、引き続き出力電圧Ｖｏと第１の閾値電圧Ｖｔｈ１との比較処理を続行する。出力電圧Ｖｏが第１の閾値電圧Ｖｔｈ１以下になると、制御部２４は、室内の酸素濃度が低下したと判断し、第１の警告を発するための指令を出力部２２に出力する。出力部２２は指令を受けると警告表示部４０を点灯又は点滅させて室内換気を促す第１の警告を発する（ステップＳ２）。
【００３８】
続いて制御部２４は、出力電圧Ｖｏを第２の閾値電圧Ｖｔｈ２（＝１２ｍＶ）と比較する（ステップＳ３）。第１の警告にも係わらずガスファンヒータ１が継続して運転されて室内の酸素濃度がさらに低下すると、検出素子１４の出力電圧Ｖｏはさらに低下する。出力電圧Ｖｏが第２の閾値電圧Ｖｔｈ２以下になると、制御部２４は、室内の酸素濃度がさらに低下したと判断し、第２の警告を発するための指令を出力部２２に出力する。出力部２２は指令を受けると警告表示部４０の点灯又は点滅に加えて、警告音や換気お知らせの音声による室内換気を促す第２の警告をスピーカ部から発する（ステップＳ４）。
【００３９】
ステップＳ３において出力電圧Ｖｏが第２の閾値電圧Ｖｔｈ２（＝１２ｍＶ）より高い場合には、制御部２４は次に、出力電圧Ｖｏを初期閾値電圧ＶｔｈＳ（＝１７ｍＶ）と比較する（ステップＳ７）。ステップＳ７において出力電圧Ｖｏが初期閾値電圧ＶｔｈＳより低ければ、ステップＳ２に戻り第１の警告を発し続ける。
【００４０】
第１の警告の結果、換気が行われて室内の酸素濃度が上昇し、ガスバーナ１０に供給される空気の酸素濃度が上昇すると、ガスの燃焼状態は良好になる。これにより、検出素子１４での出力電圧Ｖｏは高くなる。ステップＳ７において、検出素子１４の出力電圧Ｖｏが初期閾値電圧ＶｔｈＳ以上になると、制御部２４は、室内の酸素濃度が十分になったと判断し、第１の警告を停止するための指令を出力部２２に出力する。出力部２２は指令を受けると警告表示部４０を消灯させて室内換気を促す第１の警告を停止する（ステップＳ８）。第１の警告が停止したらステップＳ１に戻り、制御部２４は出力電圧Ｖｏと第１の閾値電圧Ｖｔｈ１との比較を再び開始する。
【００４１】
ステップＳ４において第２の警告を発した場合には、制御部２４は、検出素子１４の出力電圧Ｖｏを第３の閾値電圧Ｖｔｈ３（＝８ｍＶ）と比較する（ステップＳ５）。第２の警告にも係わらずガスファンヒータ１が継続して運転されて室内の酸素濃度がさらに低下すると、検出素子１４の出力電圧Ｖｏはさらに低下する。出力電圧Ｖｏが第３の閾値電圧Ｖｔｈ３以下になると、制御部２４は、室内の酸素濃度がさらに低下したと判断し、制御弁２８を閉じてガスバーナ１０へのガス供給を遮断して、ガスファンヒータ１の運転を停止させる（ステップＳ６）。
【００４２】
ステップＳ５において出力電圧Ｖｏが第３の閾値電圧Ｖｔｈ３（＝８ｍＶ）より高い場合には、制御部２４は次に、出力電圧Ｖｏを中間の閾値電圧ＶｔｈＭ（＝１３ｍＶ）と比較する（ステップＳ９）。ステップＳ９において出力電圧Ｖｏが中間の閾値電圧ＶｔｈＭより低ければ、ステップＳ４に戻り第１及び第２の警告を発し続ける。
【００４３】
第２の警告の結果、換気が行われて室内の酸素濃度が上昇し、ガスバーナ１０に供給される空気の酸素濃度が上昇すると、ガスの燃焼状態は良好になる。これにより、検出素子１４での出力電圧Ｖｏは高くなる。ステップＳ９において、検出素子１４の出力電圧Ｖｏが中間の閾値電圧ＶｔｈＭ以上になると、制御部２４は、室内の酸素濃度が上昇したと判断し、第２の警告を停止するための指令を出力部２２に出力する。出力部２２は指令を受けるとスピーカ部からの音声出力を止めて室内換気を促す第２の警告を停止する（ステップＳ１０）。第２の警告が停止したらステップＳ３に戻り、制御部２４は出力電圧Ｖｏと第２の閾値電圧Ｖｔｈ２との比較を再び開始する。
【００４４】
以上説明したように、本実施の形態によれば、ガスバーナ１０の火炎１２の温度の変化から室内の酸素濃度の増減を予測して、酸素濃度が不足している場合には室内換気を促す警告を発することができるようになる。これにより、室内の空気を新鮮な状態に維持することができる。また、本実施の形態によれば、ガスファンヒータ１が何らの予告もなく突然停止することがないので運転再開の手間を省くことができ利便性を一層向上させることができる。
【００４５】
さらに、本実施の形態によれば、従来の検出素子を用いることができるので、酸素センサ等の部品を新たに追加する必要はない。また、制御部２４で動作させる運転プログラムを一部変更するだけでよい。このため、ガスファンヒータ１の製造コストを従来のそれとほぼ同程度に抑えることができる。また、移動型のガスファンヒータに適用しても十分な可搬性を維持することができる。
【００４６】
本発明は、上記実施の形態に限らず種々の変形が可能である。
上記実施の形態の温風暖房機は、ガスファンヒータ１を例に説明したが、本発明はこれに限られない。例えば、石油ファンヒータに本発明を適用することももちろん可能である。
【００４７】
上記実施の形態の温風暖房機は、第１乃至第３の閾値電圧Ｖｔｈ１〜Ｖｔｈ３と初期閾値電圧ＶｔｈＳ及び中間の閾値電圧ＶｔｈＭの５つを用いて室内換気を促す警告を発するようにしているが、本発明はこれに限られない。例えば、６つ以上の閾値電圧を用いて警告を発するようにしてもよい。こうすることにより警告の種類を増加でき、より細かく警告を発して室内の空気をより新鮮な状態に維持することができる。
【００４８】
また、検出素子１４での出力電圧の検知精度を向上させれば、上記５つの閾値電圧のうち第１乃至第３の閾値電圧Ｖｔｈ１〜Ｖｔｈ３だけを用いて換気促進の警告プログラムを組むようにしてもよい。この場合には、警告プログラムが簡素になるのと共にプログラム及び閾値電圧値の記憶容量も減らせるので記憶装置を小型にすることができるようになる。
【００４９】
【発明の効果】
以上の通り、本発明によれば、暖房中の室内において、常に新鮮な空気を確保することができる。
【図面の簡単な説明】
【図１】本発明の一実施の形態によるガスファンヒータ１の側断面の概略構成及びシステムブロックを示す図である。
【図２】本発明の一実施の形態によるガスファンヒータ１の操作パネル２０の一例を示す図である。
【図３】本発明の一実施の形態によるガスファンヒータ１の酸素濃度（％）に対する閾値電圧Ｖｔｈの設定例を示す図である。
【図４】本発明の一実施の形態によるガスファンヒータ１の警告方法のフローチャートを示す図である。
【符号の説明】
１  ガスファンヒータ
２  本体ケーシング
４  燃焼室
６  対流ファン
８ａ  空気流入口
８ｂ、８ｃ  希釈用空気流入口
８ｄ  温風吹出し口
１０  ガスバーナ
１２  火炎
１４  検出素子
１６  吸気フィルタ
２０  操作パネル
２２  出力部
２４  制御部
２８  制御弁
３０  ガス管
３８  運転スイッチ
４０  警告表示部
Ｖｏ  出力電圧
Ｖｔｈ  閾値電圧
Ｖｔｈ１  第１の閾値電圧
Ｖｔｈ２  第２の閾値電圧
Ｖｔｈ３  第３の閾値電圧
ＶｔｈＳ  初期閾値電圧
ＶｔｈＭ  中間の閾値電圧
【図１】
2005016860.tif 000003
【図２】
2005016860.tif 000004
【図３】
2005016860.tif 000005
【図４】
2005016860.tif 000006